(57)【要約】【課題】テレテキストの閲覧手順が簡略化され、テレテキストの閲覧が効率的に得られるようにしたテレテキストサービス選択システムを提供すること。【解決手段】テレビ受像機の選局部２でテレビジョン放送信号を受信し、信号分離部３に入力してテレテキスト信号を分離し、テレテキストサービスデコード部４とテレテキストデコード部６に入力して、各々からテレテキスト情報とテレテキストサービス情報を取得して記憶装置５に格納する。その上で、リモコン等によるユーザ操作を受け付けたとき、記憶装置５からテレテキスト情報とテレテキストサービス情報を読出し、信号分離部３で分離された映像信号と共にテレテキスト情報重畳部７に入力して生成した画面情報を表示部８に供給し、これにより表示部８の画像表示面に、通常のテレテキスト画面の表示と共に、テレテキストサービス情報の表示が一緒に与えられるようにした。【選択図】図１
2008109567.tif 000002
【特許請求の範囲】
【請求項１】
文字放送を受信して表示部にテレテキスト画面を表示する方式のテレテキストサービス選択システムにおいて、
放送チャンネルを選局して文字放送の受信信号を出力する選局部と、
前記受信信号を入力してテレテキスト信号と映像信号に分離して出力する信号分離部と、
前記テレテキスト信号をデコードしてテレテキスト情報を取得するテレテキストデコード部と、
前記テレテキスト信号をデコードしてテレテキストサービス情報を取得するテレテキストサービスデコード部と、
前記テレテキスト情報と前記テレテキストサービス情報を記憶しておく記憶部と、
前記映像信号と前記テレテキスト情報及び前記テレテキストサービス情報に基づいて画面情報を生成し、前記表示部に供給するテレテキスト情報重畳部と、
少なくとも前記選局部と前記テレテキストデコード部及び前記テレテキストサービスデコード部を制御するシステム制御部とを設け、
前記システム制御部は、ユーザがテレビ視聴に前記表示部を使用していないとき、前記選局部に各チャンネルを順次、選局してゆく動作を実行させると共に、前記テレテキストサービスデコード部を活性化するシステム制御情報を発生し、ユーザがテレビ視聴に前記表示部を使用しているときは、前記選局部を前記テレビ視聴されているチャンネルの選局に固定すると共に、前記テレテキストデコード部を活性化することを特徴とするテレテキストサービス選択システム。
【請求項２】
請求項１において、
前記システム制御部が、ユーザによる操作を受け付け当該システム制御部にユーザの指示を与えるリモコンを備え、
前記テレテキスト情報重畳部は、前記リモコンのキー操作に対応したテレテキストサービス情報の重畳を行うことを特徴とするテレテキストサービス選択システム。
【請求項３】
請求項１又は請求項２において、
前記テレテキストサービス情報が、前記選局部で選択された文字放送チャンネルの放送局名であることを特徴とするテレテキストサービス選択システム。
【請求項４】
請求項１乃至請求項３の何れかにおいて、
前記システム制御部は、ユーザ操作によりテレテキストサービスが切替えられる際、再選局されたチャンネルに関する前記記憶部に記憶されたテレテキスト情報を前記テレテキストデコード部が取得し、前記テレテキスト情報重畳部では、前記テレテキストデコード部からのテレテキスト情報を基にしてテレテキストサービス切り替え後の初期画面を構成することを特徴とするテレテキストサービス選択システム。
【発明の詳細な説明】
【技術分野】
【０００１】
本発明は、文字放送を受信し、字幕、クローズドキャプション、テレテキストなどの文字情報を選択して表示するシステムに係り、特に、テレビ受像機やコンピュータなどの表示装置に文字情報を表示するのに好適なテレテキストサービス選択システムに関する。
【背景技術】
【０００２】
テレビ放送には、テレテキスト画面を提供するという、いわゆる文字放送として知られているサービスが従来から存在しているが、このとき、従来の文字放送受信システムでは、或るチャンネルのテレテキスト画面を表示しているときは、画面上にはそのチャンネルのテレテキストに関連する情報のみが表示されるようになっている。
【０００３】
そして、この従来のシステムにおいては、或るチャンネルのテキスト画面を閲覧中、他のチャンネルでサービスされているテレテキストを閲覧したい場合は、現在受信中のテキスト画面をオフし、所望のテキストサービスが存在するチャンネルに変更した上でテキスト画面をオンするという手順が必要とされている。
【０００４】
従って、この場合、予め様々なチャンネルのテキストサービス情報が事前に取得されているのが手順の簡略化の面から望ましく、このため、テレビ受像機が受像のための選局動作を行っていないとき、選局回路により各放送チャンネルをスキャンし、文字放送が存在するチャンネルの情報を記憶装置に記憶させ、必要なとき、直ちに文字放送の放送チャンネルが把握できるようにした方法が、従来から提案されている(例えば特許文献１参照。)。
【特許文献１】特開平２‐２２２２８７号公報
【発明の開示】
【発明が解決しようとする課題】
【０００５】
上記従来技術は、テレテキストの閲覧手順が煩雑に過ぎる点に配慮がされているとは言えず、テレテキスト閲覧手順の更なる簡略化に問題があった。
【０００６】
前述したように、従来のテレテキストサービス選択システムでは、或るチャンネルのテレテキストを閲覧中、他のチャンネルでサービスされているテレテキストを閲覧したい場合には、いま閲覧中のテレテキスト画面をオフし、チャンネルを変更した後、テレテキスト画面をオンするという操作ステップが必要とされている。
【０００７】
このため、従来技術では、様々なチャンネルについて、そのテレテキスト情報のみを閲覧したい場合には、かなり煩わしい手順を踏まなくてはならない。しかも従来技術では、テレテキスト画面の閲覧中は、テレテキストをサービスしているチャンネルが他にもあるか否かを知ることもできない。
【０００８】
本発明の目的は、テレテキストの閲覧手順が簡略化され、テレテキストの閲覧が効率的に得られるようにしたテレテキストサービス選択システムを提供することにある。
【課題を解決するための手段】
【０００９】
上記目的は、文字放送を受信して表示部にテレテキスト画面を表示する方式のテレテキストサービス選択システムにおいて、放送チャンネルを選局して文字放送の受信信号を出力する選局部と、前記受信信号を入力してテレテキスト信号と映像信号に分離して出力する信号分離部と、前記テレテキスト信号をデコードしてテレテキスト情報を取得するテレテキストデコード部と、前記テレテキスト信号をデコードしてテレテキストサービス情報を取得するテレテキストサービスデコード部と、前記テレテキスト情報と前記テレテキストサービス情報を記憶しておく記憶部と、前記映像信号と前記テレテキスト情報及び前記テレテキストサービス情報に基づいて画面情報を生成し、前記表示部に供給するテレテキスト情報重畳部と、少なくとも前記選局部と前記テレテキストデコード部及び前記テレテキストサービスデコード部を制御するシステム制御部とを設け、前記システム制御部は、ユーザがテレビ視聴に前記表示部を使用していないとき、前記選局部に各チャンネルを順次、選局してゆく動作を実行させると共に、前記テレテキストサービスデコード部を活性化するシステム制御情報を発生し、ユーザがテレビ視聴に前記表示部を使用しているときは、前記選局部を前記テレビ視聴されているチャンネルの選局に固定すると共に、前記テレテキストデコード部を活性化するようにして達成される。
【００１０】
このとき、前記システム制御部が、ユーザによる操作を受け付け当該システム制御部にユーザの指示を与えるリモコンを備え、前記テレテキスト情報重畳部は、前記リモコンのキー操作に対応したテレテキストサービス情報の重畳を行うようにしても上記目的が達成される。
【００１１】
同じく、このとき、前記テレテキストサービス情報が、前記選局部で選択された文字放送チャンネルの放送局名であるようにしても上記目的が達成される。
【００１２】
更に、このとき、前記システム制御部は、ユーザ操作によりテレテキストサービスが切替えられる際、再選局されたチャンネルに関する前記記憶部に記憶されたテレテキスト情報を前記テレテキストデコード部が取得し、前記テレテキスト情報重畳部では、前記テレテキストデコード部からのテレテキスト情報を基にしてテレテキストサービス切り替え後の初期画面を構成するようにしても上記目的が達成される。
【発明の効果】
【００１３】
本発明によれば、映像信号に対して、通常のテレテキストデコード情報に加え、テレテキストサービス情報を重畳し、表示しているので、或るチャンネルのテキストサービスを閲覧中でも他のチャンネルのテキストサービスの有無を知ることができる。
【００１４】
このとき、本発明によれば、ユーザが、リモコンなどにより、他のテレテキストサービスを選択するとき、サービスの有無などを示すテレテキストサービス情報が予め取得され、記憶部に当該情報が保持されるようになっているので、テキストサービスが存在するチャンネルのみを選局することができ、ユーザがテレテキストサービスのみ閲覧したい場合にサービスが存在しないチャンネルを選局してしまう可能性をなくすことが可能となる。
【００１５】
また、このとき、リモコンなどのキーに対応するようにテレテキストサービス情報を重畳し表示することで、ユーザは直感的にテレテキストサービス切替え操作が可能となり、テレテキストのサービス名を表示する手段を設けることで、ユーザは他のチャンネルの内容を知ることができる。
【００１６】
同じく本発明によれば、再選局時、予め記憶部に記憶しておいた情報に基いて選局後の初期画面を構成することができるので、ユーザは選局処理の完了を待つことなく即座に異なるチャンネルのテレテキストサービスを閲覧することができる。従って、テレテキストサービス間の移動を意識する必要がなくなり、シームレスなテレテキストサービスを受けられるようになる。
【発明を実施するための最良の形態】
【００１７】
以下、本発明によるテレテキストサービス選択システムについて、図示の実施の形態により詳細に説明する。
【００１８】
まず、図１は、本発明によるテレテキストサービス選択システムの一実施形態を示すブロック図で、この図１において、１はシステム制御部、２は選局部、３は信号分離部、４はテレテキストサービスデコード部、５は記憶装置、６はテレテキストデコード部、そして、７はテレテキスト情報重畳部であり、このテレテキスト情報重畳部７から表示部８に画面情報が供給されるようになっている。
【００１９】
ここで、いま、この実施形態がテレビ受像機に適用されたものとすると、この表示部８は、テレビ受像機の表示装置で構成されることになり、そこには、受信したチャンネルの放送局から提供されているプログラムによる画像が表示され、別途、音声の再生も得られることになる。
【００２０】
次に、この実施形態の動作について説明する。まず、システム制御部１は、ここには図示してないが、図５に示されているリモートコントロール用の操作器具、いわゆるリモコン２１を、ユーザによる操作を受け付けてシステム制御部１にユーザの指示を与える入力手段として備え、これから、例えば赤外線により送信されてくる入力信号を受信し、ユーザからシステムに要求されている動作指示を解読し、この解読された動作指令とシステム内の各部から把握される情報とに基づいてシステム制御情報を出力する働きをする。なお、図５において、符号２２はリモコンに備え付けられているカーソルキーを示す。
【００２１】
そして、このシステム制御情報は、図示の通り、選局部２とテレテキストサービスデコード部４及びテレテキストデコード部６に供給されるが、更に図示されていないシステム内の各部にも供給され、これにより、まず、本来のテレビ受像機としての動作がリモコンからの指令通りに得られることになる。
【００２２】
次に、選局部２は、図示されていないアンテナから供給されるＲＦ信号を入力し、チャンネルを選択してテレビ放送信号を受信するという、いわゆるチューナに相当する働きをするものであるが、このとき、更に、システム制御情報に応じて各チャンネルを順次、選局してゆき、その都度、各チャンネルのＲＦ信号を信号分離部３に逐次、供給する働きもするようになっている。
【００２３】
そして、この実施形態によるシステムでは、システム制御部１は、表示部８がスタンバイ状態のときやアイドル状態のとき、つまり、この実施形態の場合、ユーザがテレビ視聴に表示部８を使用していないとき、選局部２に上記した動作、すなわちＲＦ信号の各チャンネルを順次、選局してゆく動作をさせるためのシステム制御情報を発生する。
【００２４】
そこで、選局部２は各チャンネルを順次、選局してゆき、信号分離部３にＲＦ信号を供給してゆくようになり、この結果、信号分離部３では、逐次、ＲＦ信号から映像信号とテレテキスト信号が分離されてくる。そして、映像信号はテレテキスト情報重複部７にそのまま供給されるが、テレテキスト信号はテレテキストサービスデコード部４とテレテキストデコード部６の双方に供給されるようになっている。
【００２５】
そして、この期間、つまりユーザがテレビ視聴に表示部８を使用していないときは、テレテキストサービスデコード部４がシステム制御情報により能動化されていて、信号分離部３から得られたテレテキスト信号より、例えばテレテキストサービス有無の情報や、テレテキストサービス名、インデックスページの情報などをチャンネル毎に取得する動作を行い、これらの情報を記憶装置５に格納している。
【００２６】
一方、ユーザが表示装置を用いてチャンネル視聴しているとき、つまり、選局部２が受像のために選局動作を行ない、或るチャンネルを選択しているときも、信号分離部３ではスタンバイ状態やアイドル状態のときと同じくＲＦ信号をテレテキスト信号と映像信号に分離している。しかして、このときはテレテキストデコード部６がシステム制御信号により能動化され、信号分離部３によって分離されたテレテキスト信号を入力とし、テレテキストのデコード処理を行ない、デコード処理した結果を記憶装置５に格納している。
【００２７】
ここで、いま、ユーザがリモコン２１(図５)を操作し、テレテキストオンを指示したとする。そうすると、システム制御部１から、この指示に対応したシステム制御情報がテレテキストデコード部６とテレテキストサービスデコード部４に供給され、これによりテレテキストデコード部６とテレテキストサービスデコード部４は、記憶装置５からデコード結果を読出し、テレテキスト情報重畳部７に対して、それぞれテレテキスト情報とテレテキストサービス情報を供給する。
【００２８】
そこで、テレテキスト情報重畳部７は、信号分離部３により分離された映像信号とテレテキストデコード部６によりデコードされたテレテキスト情報、それにテレテキストサービスデコード部４によりデコードされたテレテキストサービス情報をそれぞれ取得し、これらに基づいて画面情報を生成し、表示部８に供給してテレテキストサービス切り替え後の初期画面が表示できるようにする。
【００２９】
そこで、このときの画面情報について図２により説明すると、まず、この図２は、表示部８の画像表示面を符号９で示したものであるが、ここで、この実施形態では、この画像表示面９の中に、通常のテレテキスト画面が表示される表示領域１０とテレテキストサービス情報が表示される表示領域１１の２種が設定してある。
【００３０】
そして、表示領域１０には、テレテキストデコード部６で取得したテレテキスト情報に基づいて、テレテキスト情報重畳部７が生成した通常のテレテキスト画面が表示されるようにし、表示領域１１には、同じくテレテキスト情報重畳部７が、テレテキストサービスデコード部４で取得したテレテキストサービス情報に基づいて生成した、テレテキストサービスが存在するチャンネルの番号が表示されるようにしてある。
【００３１】
ここで、この図２では、表示領域１１に表示されるチャンネル番号の一例として、チャンネル１、チャンネル３、チャンネル４、チャンネル６、チャンネル８、チャンネル１０、それにチャンネル１２が描いてあり、ここで符号Ｃはカーソルを表わす。従って、この図では、現在選択されているテレテキストサービス情報がチャンネル１０のものであることが、カーソルＣにより示されていることになる。
【００３２】
ところで、この図２では、表示領域１１にテレテキストサービスが存在するチャンネル番号を表示した場合の例を挙げたものであるが、図３に示すように、この表示領域１１にテレテキストサービスのサービス名を表示するようにしても良い。ここで、このテレテキストサービスのサービス名とは、例えば文字放送を提供している放送局名のことであり、図では同じアルファベットの３文字(ＴＴＴ、……、ＺＺＺ)で局名を表わしている。
【００３３】
次に、この図２の状態にあるとき、ここでいま、ユーザがリモコン２１を用い、これによりテレテキストに関連する通常の操作、例えばページの選択などの操作を行ったとする。そうすると、その情報が、システム制御部１からテレテキストデコード部６に送られ、この結果、テレテキストデコード部６からは、ユーザの操作に応じたテレテキストデコード情報がテレテキスト情報重畳部７に送信される。
【００３４】
そこで、テレテキスト情報重畳部７では、通常のテレテキスト画面部分(図２の表示領域１０)の画面情報を、受信したテレテキスト情報に基づいて更新し、表示部８に送信する。次に、この状態で、ユーザがリモコン２１に設けられたカーソルキー２２を操作し、例えば左キーを押下したとする。そうすると、選局部２とテレテキストデコード部６及びテレテキストサービスデコード部４に、システム制御部１から選択情報が伝えられる。
【００３５】
そして、まず、テレテキストデコード部６では、新たに選択されたテレテキストサービスのインデックスページ情報を記憶装置５から取得し、テレテキスト情報としてテレテキスト情報重畳部７に送信する。ここで、このインデックスページ情報は、システムがスタンバイ状態やアイドル状態のとき、テレテキストサービスデコード部４によって予め記憶装置５に格納しておいたものである。
【００３６】
一方、テレテキストサービスデコード部４では、新たに選択されたテレテキストサービスに基づいてテレテキストサービスの選択情報を更新し、テレテキスト情報重畳部７に送信する。このとき、選局部２では、新たに選択されたテレテキストサービスを持つチャンネルを選局する。
【００３７】
そこで、テレテキスト情報重畳部７では、更新されたテレテキスト情報とテレテキストサービス情報をテレテキストデコード部６とテレテキストサービスデコード部４から取得し、これと共に信号分離部３から映像信号を取得し、これらにより新たな画面情報を生成する。そして、この更新された画面情報を表示部８に表示させる。
【００３８】
例えば、いま図２に示すように、カーソルＣがチャンネル１０を指示していたとき、ここでユーザがリモコン２１のカーソルキー２２を押すなどしてチャンネル８のサービスを選択したとする。そうすると、ここで表示部８の表示は図４に示すようになり、このとき表示領域１０には、新たに選択したチャンネル８によるテレテキストサービスのインデックス画面が表示され、表示領域１１に表示されているカーソルＣの位置は、図２におけるチャンネル１０の表示から、図示のようにチャンネル８の表示に変わる。
【００３９】
そして、このときのカーソルＣの移動方向は、リモコン２１のカーソルキー２２の押下に対応するようにしてある。つまりカーソルキー２２の左側のキーを押せば左方向に移動し、右側のキーなら右方向に更新されることになる。
【００４０】
他方、テレテキストデコード部６においては、このとき新たに選択されたテレテレキストサービスのテレテキスト信号からのデコード処理が開始され、記憶装置５に対するデコード結果の格納処理が実行される。
【００４１】
従って、この実施形態によれば、或るチャンネルのテキストサービス閲覧中にも他のチャンネルにおけるテキストサービスの有無を知り、テキストサービスが存在するチャンネルのみを選局することができるようになり、この結果、テレテキストの閲覧手順が簡略化され、テレテキストの閲覧が効率的に得られるので、本発明が掲げた目的が達成されることになる。
【００４２】
ところで、以上の実施形態では、リモコン２１を用いたユーザによるテレテキストサービスの選択が、カーソルキー２２の操作により与えられるようにしてある。しかし、本発明は、リモコン上にそれぞれのテレテキストサービスに対応したキーを設け、それらを押下することにより特定のテレテキストサービスが直接選択できるようにしても良い。
【図面の簡単な説明】
【００４３】
【図１】本発明によるテレテキストサービス選択システムの一実施の形態を示すブロック構成図である。
【図２】本発明の実施形態において表示部に表示される画面の第１の例を示す説明図である。
【図３】本発明の実施形態において表示部に表示される画面の第２の例を示す説明図である。
【図４】本発明の実施形態において表示部に表示される画面の第３の例を示す説明図である。
【図５】本発明の実施形態において使用されているリモコンの一例を示す平面図である。
【符号の説明】
【００４４】
１：システム制御部
２：選局部
３：信号分離部
４：テレテキストサービスデコード部
５：記憶装置
６：テレテキストデコード部
７：テレテキスト情報重畳部
８：表示部
９：画像表示面
１０：表示領域(通常のテレテキスト画面が表示される表示領域)
１１：表示領域(テレテキストサービス情報が表示される表示領域)
２１：リモコン
２２：カーソルキー
Ｃ：カーソル
【図１】
2008109567.tif 000003
【図２】
2008109567.tif 000004
【図３】
2008109567.tif 000005
【図４】
2008109567.tif 000006
【図５】
2008109567.tif 000007